(57)【特許請求の範囲】
【請求項１】
透明の保護カバーにより覆われてなる展示室と、
この展示室内に設けられ、種類の異なる外壁パネルよりなる複数の試験片を装着するようになされた試験片装着部と、
この試験片装着部に装着された各試験片に対しそれぞれ個別に打ち付けられるようになされたハーケンと、
展示室の外側に設けられ、ハーケンに連動するレバーとを具備し、
レバー操作によりハーケンを各試験片に対し個々に打ち付けて各試験片の強度比較を体験するようになされたことを特徴とする外壁パネルの強度比較体験装置。
【発明の詳細な説明】
【０００１】
【発明の属する技術分野】
本発明は、外壁パネルの強度を、種類の異なる外壁パネルに対しハーケンを実際に打ち付けてもらうことで体験するようになされた外壁パネルの強度比較体験装置に関するものである。
【０００２】
【従来の技術】
従来より、住宅建物の外壁には、断熱性などを高める上で、内部に気泡を含んだ軽量気泡コンクリートよりなる外壁パネルが使用されている。この外壁パネルとしては、気泡同士が独立しているいわゆる独立気泡のものや、気泡同士がミクロの毛細管で連続しているいわゆる連続気泡のものなどがある。これらの外壁パネルの違いは、住宅建物のカタログに紹介したり、展示場に訪れた購入予定者に口頭で説明したりしていた。
【０００３】
【発明が解決しようとする課題】
しかし、実際に住宅建物の外壁に使用されている外壁パネルは、外観上は略同じであるため、その性能、例えば強度の違いなどをカタログで紹介したり、口頭で説明しても、容易に理解してもらい難く、説明に時間がかかって煩わしくなる。
【０００４】
さらに、カタログでの紹介や口頭での説明の場合、単に強度の違いなどを数値で把握してもらうだけになってしまうので、それぞれの外壁パネルの強度差を印象付けることができないといった不都合を生じることとなる。
【０００５】
本発明は、かかる点に鑑みてなされたものであり、その目的とするところは、種類の異なる外壁パネルの強度の違いを容易に把握でき、その強度差を印象付けることができる外壁パネルの強度比較体験装置を提供することにある。
【０００６】
【課題を解決するための手段】
上記目的を達成するために、本発明が講じた解決手段は、外壁パネルの強度比較体験装置として、透明の保護カバーにより覆われてなる展示室と、この展示室内に設けられ、種類の異なる外壁パネルよりなる複数の試験片を装着するようになされた試験片装着部と、この試験片装着部に装着された各試験片に対しそれぞれ個別に打ち付けられるようになされたハーケンと、展示室の外側に設けられ、ハーケンに連動するレバーとを具備する。そして、レバー操作によりハーケンを各試験片に対し個々に打ち付けて各試験片の強度比較を体験するようになされたものである。
【０００７】
この場合、複数の試験片に対しそれぞれハーケンを打ち付けて強度を比較する実体験によって種類の異なる外壁パネルの強度差が明確なものとなる。これにより、これらの外壁パネルの強度の違いを容易に把握してもらえ、その強度差を印象付けることが可能となる。
【０００８】
また、レバー操作時の力の掛け具合で、ハーケンが各試験片に対し打ち付けられるかといったことがある程度予測され、各試験片の打ち付け部位の凹み具合などを見極めることで、各試験片の強度を実感することが可能となる。
【０００９】
しかも、試験片の違いによっては、レバー操作時の力の掛け具合で凹んだり、凹まなかったりするので、各試験片の種類毎の強度の違いを実感することが可能となる。
【００１０】
さらに、ハーケンによって各試験片を打ち付ける場合、各試験片は透明の保護カバーにより覆われているので、各試験片の破片が展示室外に飛散することが防止され、各試験片の強度比較体験が安全に行える。
【００１１】
【発明の実施の形態】
以下、本発明の実施の形態を図面に基づいて説明する。
【００１２】
図１は外壁パネルの強度比較体験装置１の全体構成の概略を示し、図２は同強度比較体験装置１の使用状態を説明している。
【００１３】
すなわち、この外壁パネルの強度比較体験装置１は、図１及び図２に示すように、展示室２と、試験片装着部３と、ハーケン４と、レバー５とを具備している。
【００１４】
展示室２は、平面視で略矩形状を呈するプレート２１と、このプレート２１の上方を覆う透明の保護カバー２２とを備えている。プレート２１は、図２に示すフロア面１１に据え付けられた台座１２の上面に設置され、大人の股下高さ付近に位置している。また、保護カバー２２は、例えばポリカーボネートなどの強化プラスチック材料により断面略半円弧状に形成されてなる。この保護カバー２２は、プレート２１の略中央に取り付けられ、プレート２１長手方向の両端部においてそれぞれ開口している。これにより、展示室２は、大人が上方から保護カバー２２を介して内部を見渡せるようになっている。
【００１５】
展示室２の内部には試験片装着部３が設けられている。この試験片装着部３は、プレート２１長手方向に亘って互いに平行に敷設された一対の試験片装着枠３１，３１を備えている。この各試験片装着枠３１，３１間には、種類の異なる外壁パネルよりなる２つの第１及び第２試験片３２，３３がプレート２１長手方向に所定間隔隔て装着されている。この各試験片３２，３３としては、双方共に内部に気泡を含んだ軽量気泡コンクリートよりなる外壁パネルをそれぞれ直方体ブロック状に形成したものが用いられている。第１試験片３２（図１では左側）としては、気泡同士がミクロの毛細管で連続しているものが用いられている。また、第２試験片３３（図１では右側）としては、気泡同士が独立しているものが用いられている。各試験片３２，３３は、プレート２１短手方向の手前側（図２では左側）から見てプレート２１長手方向に並んで展示されている。
【００１６】
ハーケン４は、各試験片３２，３３に対しそれぞれ個別に打ち付けられるように個々に配置されている。この各ハーケン４は、展示室２内の奥側つまりプレート２１短手方向の奥側（図２では右側）にある回転軸４１に対し直交して延設されたそれぞれの支軸４２の途中に設けられている。各回転軸４１は、プレート２１短手方向の奥側にそれぞれ立設された一対の回転軸支持部材４３，４３の上端部間に回転自在に架設されている。各ハーケン４は、回転軸４１を支点とする軌跡Ａ（図２に表れる）でそれぞれ上下方向に回動するようになされ、下方への回動時に各試験片３２，３３に対しそれぞれ個別に打ち付けられる。
【００１７】
また、各試験片装着枠３１と各回転支持部材４３との間に位置するプレート２１上にはそれぞれストッパ片４４（図２に一方のみ示す）が立設されている。この各ストッパ片４４は、ハーケン４により試験片３２，３３が打ち砕かれてさらに下方に回動しようとするときに、支軸４２を当接させることで、ハーケン４の下方への回動を規制するようにしている。各支軸４２の先端は、保護カバー２２に開口するスリット２２ａ，２２a を介して展示室２外に突出している。この各スリット２２ａは、保護カバー２２を各ハーケン４の回動方向つまり軌跡Ａ方向に則して切り欠いて形成されてなる。
【００１８】
レバー５は、各スリット２２ａを介して展示室２外に突出する支軸４２の先端部に、それぞれ回転軸４１と直交するように取り付けられている。
【００１９】
次に、この外壁パネルの強度比較体験装置１の使用方法を図１及び図２に基づいて説明する。
【００２０】
先ず、図１に示すように、使用するに当たり、試験片装着部３の試験片装着枠３１，３１間の所定位置（プレート２１長手方向で所定間隔隔てた位置）に、連続気泡の第１試験片３２及び独立気泡の第２試験片３３を、保護カバー２２両端部の開口を介してそれぞれ装着する。
【００２１】
次いで、図示しない体験者自らの手で、第１及び第２試験片３２，３３の強度を順に比較して体験する。
【００２２】
すなわち、一方のレバー５（例えば第１試験片３２に対応する左側のレバー５）を、図２に仮想線（二点鎖線）で示す位置まで上方へ回動させる。このとき、レバー５は、大人の肩口付近の高さに位置付けられる。
【００２３】
そして、この一方のレバー５を、図１及び図２に示す実線位置まで体験者自らの手で下方へ回動させることにより、第１試験片３２の上面にハーケン４を打ち付ける。
【００２４】
このとき、連続気泡の第１試験片３２では、その上面にハーケン４の打ち付けによる凹みが生じ易く、場合によって打ち砕かれることが体験できる。
【００２５】
一方、上記一方のレバー５と同様に、他方のレバー５（例えば第２試験片３３に対応する右側のレバー５）を上方へ回動させ、この他方のレバー５を体験者自らの手で下方へ回動させることにより、第２試験片３３の上面にハーケン４を打ち付ける。
【００２６】
このとき、独立気泡の第２試験片３３は、その上面にハーケン４の打ち付けによる凹みが生じ難く、第１試験片３２と同程度のハーケン４の打ち付けでは到底打ち砕けないことが体験できる。
【００２７】
従って、第１試験片３２及び第２試験片３３に対しそれぞれハーケン４を個別に打ち付けて各試験片３２，３３の強度を比較することが可能となり、この強度を比較する実体験によって、各試験片３２，３３つまり二種類の異なる外壁パネルの強度差が明確なものとなる。これにより、これらの外壁パネルの強度の違いを容易に把握してもらうことができ、その強度差を印象付けることができる。
【００２８】
また、レバー５を下方に回動させる際の勢い、つまりどの程度の力の掛け具合で、ハーケン４が各試験片３２，３３に対し打ち付けられるかといったことがある程度予測できるので、各試験片３２，３３の打ち付け部位の凹み具合などを見極めることで、各試験片３２，３３の強度を実感することができる。
【００２９】
加えて、試験片３２，３３の違いによっては、同程度の打ち付け力で凹んだり、凹まなかったりするので、各試験片３２，３３の種類毎の強度の違いを実感することができる。
【００３０】
さらに、ハーケン４によって各試験片３２，３３を打ち付ける場合、各試験片３２，３３は透明の保護カバー２２により被覆されているので、各試験片３２，３３の破片が展示室２外に飛散することはなく、各試験片３２，３３の強度比較体験を安全に行うことができる。
【００３１】
しかも、この外壁パネルの強度比較体験装置１を、住宅展示場に設置しておき、この住宅展示場を訪れた人に体験してもらうことで、外壁パネルの種類の違いによって強度がどのように異なるかを身をもって知ってもらうことができる。
【００３２】
なお、本実施形態では、種類の異なる外壁パネルよりなる２つの第１及び第２試験片３２，３３の強度比較を体験できるようにしたが、種類の異なる外壁パネルよりなる３つ以上の試験片の強度比較を体験できる強度比較体験装置が構成されていても良い。この場合には、例えば、気泡同士が連続する第１試験片及び気泡同士が独立する第２試験片に加えて、気泡同士が部分的に一部連続する第３試験片などとの強度比較をも体験することができる。
【００３３】
また、本実施形態では、各試験片装着枠３１，３１間に第１及び第２試験片３２，３３を装着したが、この各試験片が各試験片装着枠に対しプレート長手方向に移動可能に載置されるようにし、ハーケンを打ち付ける度ごとに各試験片をプレート長手方向に移動させることで、ハーケンによる各試験片への打ち付けが新規の箇所で行われるようにして体験者に分かり易いようにしても良いのは勿論である。
【００３４】
さらに、本実施形態では、各試験片３２，３３にそれぞれ個別に対応するハーケンを備えたが、各試験片をプレート上で移動可能に載置し、ハーケンの打ち付け部位に各試験片を交互に位置付けることで、単一のハーケンによって各試験片( 外壁パネル) の強度比較を体験することが可能となる。
【００３５】
【発明の効果】
以上のように、本発明における外壁パネルの強度比較体験装置によれば、種類の異なる外壁パネルからなる複数の試験片に対しハーケンを個々に打ち付けて各試験片の強度比較を体験することで、これらの外壁パネルの強度差を明確にし、各外壁パネルの強度を容易に把握でき、その強度差を印象付けることができる。
【００３６】
また、レバー操作時の力の掛け具合で各試験片に対するハーケンの打ち付け力をある程度予測し、各試験片の打ち付け部位の凹み具合などを見極めて各試験片の強度を実感することができる。しかも、レバー操作時の力の掛け具合で試験片の違いによる凹みの有無を生じ、各試験片の種類毎の強度の違いを実感することができる。
【００３７】
さらに、各試験片を透明の保護カバーにより被覆しているので、ハーケンによって各試験片を打ち付けた際に各試験片の破片を展示室外に飛散させることなく強度比較体験を安全に行うことができる。
【図面の簡単な説明】
【図１】本発明の実施形態に係わる外壁パネルの強度比較体験装置の全体構成の概略を示す斜視図である。
【図２】外壁パネルの強度比較体験装置の側面図である。
【符号の説明】
１    強度比較体験装置
２    展示室
２２  保護カバー
３２  第１試験片
３３  第２試験片
３    試験片装着部
４    ハーケン
５    レバー
【図１】
0003688912.tif 000002
【図２】
0003688912.tif 000003